(57)【要約】【課題】デザイン的、構造的な制約を極力受けない構造でありながら、インキ吐出を良好に維持すると共に、ペン先の耐久性に十分対応した筆記具を提供する【解決手段】軸筒の最も小径部分にてインキタンクであるポリプロピレン樹脂の押出成形パイプを圧入状に固定し、インキタンク内のインキをペン先に供給する筆記具。【選択図】　図１
2004082570.tif 000002
【特許請求の範囲】
【請求項１】
先端にペン先を備えた軸筒に外径が略同一となるようにグリップ部材を取り付け、少なくともこのグリップ部材が取り付けられている長手方向範囲にて軸筒の内径を小径部となし、この小径部以下の外径を有する、少なくともインキを収容したインキ筒を軸筒内に挿入すると共に、このインキ筒の外径と合致する軸筒の内径部分にてインキ筒を固定した筆記具。
【請求項２】
前記軸筒がペン先を有するペン先ホルダーとグリップ部材が装着される把持筒部とからなり、前記インキ筒がペン先ホルダーに取り付けられている請求項１記載の筆記具。
【請求項３】
前記ペン先が筆記部材としてのボールとこのボールを先端より一部突出して抱持する金属製のボールホルダーとからなるボールペンチップであって、筆記部材としてのボールの径が０．３ｍｍ〜０．４８ｍｍである請求項１又は請求項２に記載の筆記具。
【発明の詳細な説明】
【０００１】
【発明の属する技術分野】
本発明は、筒状のインキタンクにインキを収容し、基本的には繊維収束体のようなインキ吸蔵体によらずにインキをペン先に接続する筆記具に関する。
【０００２】
【従来の技術】
従来、軸筒の比較的前方部に弾性体をグリップ部材として被覆し、把持部分とする筆記具が知られている。近年、疲労しにくいとの人間工学的な考察に基づく配慮にて多く見受けられる構造である。このグリップ部材は、軸筒の外径より大径のものとすることもあるが、グリップ部材を軸筒外径と略同径としたものが知られている。
【０００３】
【発明が解決する課題】
筆記具としてペン先がインキ乾燥を抑制しない構造のものであれば、そのペン先にはキャップを被嵌することになるが、前記のグリップ部材を軸筒の外径より大径のものとした場合、キャップがグリップ部材を覆う構造とする場合には、不要にキャップを大きくしなくてはならなかったり、グリップ部材を覆わないものとした場合には、このキャップと軸筒との固定が比較的ペン先側となり、不安定な構造となる場合があった。また、グリップ部材を軸筒外径と略同径とした場合は、合成樹脂の射出成形品であることから、軸筒の肉厚は大きく変化するものとするとヒケなどの成型時に形成される設計意図外の形状不良となったり、あまり薄肉の部分を形成することは現実的ではないなどの問題があった。
【０００４】
このような諸事情からグリップ部材の外径を軸筒の外径と略同等となし、グリップ部材が被嵌される範囲にて軸筒の内径を小径とすることができるが、インキが収容されるインキ筒の内径を変化させると、該部におけるインキの流れ方が変化し、特に剪断減粘性を有するゲルインキと称されるインキの場合、インキ吐出に影響がでる可能性があった。また、ペン先として比較的小径のボールを使用した場合、これに伴ってボールホルダーも小さいものとなるが、ボールや紙面との摩擦に対して十分な耐久性を有するボールホルダーとすることはそれなりに困難性があり、単位筆記距離あたりのインキの消費量も少ないことから、大量のインキをインキタンクに備える筆記具である場合に、チップホルダーの破損までの耐久性が得られない場合があった。この点は、繊維収束体製のようなペン先にしてもペン先が潰れて初期の筆記線幅を維持できないなど同様に問題を生じることが懸念された。
【０００５】
本発明は、デザイン的、構造的な制約を極力受けない構造でありながら、インキ吐出を良好に維持すると共に、ペン先の耐久性に十分対応した筆記具を提供することを目的とする。
【０００６】
【課題を解決するための手段】
即ち、本発明は、先端にペン先を備えた軸筒に外径が略同一となるようにグリップ部材を取り付け、少なくともこのグリップ部材が取り付けられている長手方向範囲にて軸筒の内径を小径部となし、この小径部以下の外径を有する、少なくともインキを収容したインキ筒を軸筒内に挿入すると共に、このインキ筒の外径と合致する軸筒の内径部分にてインキ筒を固定した筆記具を要旨とするものである。
【０００７】
【実施例】
図１に一例の断面図を示す。
軸筒１は、把持筒２とペン先３を固定するペン先ホルダー４とから構成されており、把持筒２のペン先側は小径部２ａに形成され、この小径部２ａに弾性材料からなるグリップ部材５がはめ込まれている。グリップ部材５のペン先側先端はペン先ホルダー４の外側端部４ａに突き当てられており、このグリップ部材５の先端及び後端はそれぞれ前記ペン先ホルダー４の外側端部４ａ及び把持筒２の大径部２ｂの先端２ｃと略同径となっている。
【０００８】
ペン先ホルダー４には、筆記部材としてのボールを先端突出して抱持するし、内部に備えるコイルスプリング（図示せず）にて前記ボールを先端方向に付勢するボールペンチップがペン先３として圧入固定されている。
【０００９】
また、把持筒２とペン先ホルダー４とは、ペン先ホルダー４の内筒部４ｂを把持筒２の小径部２ａに互いの環状突起を乗り越えて圧入状に挿入され固定されている。更に、ペン先ホルダー４の外側端部４ａの内側に把持筒２の小径部２ａが圧入状に挿入される形となっており、ペン先ホルダー４の各部分にて把持筒２の先端部分が挟持された状態となっている。
【００１０】
軸筒１の後端には、空気孔６ａを備える尾栓６が圧入固定されている。また、参照符号７にて示したものはキャップであり、グリップ部材５よりペン先側で把持筒２と乗り越え嵌合にて着脱自在に嵌合可能であり、キャップ７を被嵌した状態ではキャップ７の開口部はグリップ部材５を覆いその後部に至っている。参照符号８は、キャップ７内に固定されたペン先３と当接することにより密閉してインキ蒸発を防止する弾性材料からなるペン先密封部材８である。
【００１１】
軸筒１の内部には、インキ９、逆流防止剤組成物１０、浮体１１が収容されたインキタンク１２が収容されている。インキタンク１２はポリプロピレン樹脂の押出成形パイプを適宜長さに切断したものである。このインキタンク１２の先端部分は、要部拡大図である図２に示すように、ペン先ホルダー４の内筒部４ｂ内に圧入状に挿入され固定されている。内筒部４ｂは環状の内方突起４ｃを２条有しており、該部がインキタンク１２の外壁に圧接状に接触することによってインキ漏れを防止している。
【００１２】
表１に、本発明の筆記具のペン先としてボールペンを適用した場合のボール径と筆記可能距離、及び筆記可能距離まで筆記した場合のインキ消費量、インキ充填位置を示す。ボールペンのインキ吐出量はチップのボール径によって変わり、ボール径が大きいほどインキ吐出量が大きくなる。実施例では、把持筒２の小径部２ａ内径：φ５ｍｍ、小径部２ａの長さ：４０ｍｍ、大径部内径：φ７ｍｍという標準的なペンのサイズを設定し、内径φ３ｍｍのパイプを圧入してインキタンク１２とした構造において、ボール径を０．２５ｍｍ乃至０．６ｍｍのボールペンチップをそれぞれ取り付けて、それぞれのボールペンチップの筆記可能距離に対応するインキ量を充填したときのインキの界面位置を測定した。ここで筆記可能距離とは、筆記に伴うチップのボール受け座摩耗によるボール沈みにより筆記不能となる距離を示す。また、外部よりインキを視認できるか否かは、充填されたインキの界面する位置が一般的には不透明な弾性材料からなるグリップの後端（４．５ｃｍの位置）よりも後方に位置するものを視認可能とした。その結果、ボール径が０．３ｍｍ以上であれば外部からインキの充填位置を視認可能であった。しかしボール径が０．５ｍｍではその筆記可能インキ量を全量充填するとインキ充填位置は約２０ｃｍとなり筆記具の軸筒の長さとしては大きすぎるものとなってしまう。従って、筆記可能距離に対応するインキ量を全量充填し、かつ内部のインキを軸筒外部から視認できるボールペンとするためには、ボール径は０．３ｍｍ乃至０．４８ｍｍとするのが実際的な設計となる。
【００１３】
【表１】
2004082570.tif 000003
【００１４】
【発明の効果】
以上より、本発明は、デザイン的、構造的な制約を極力受けない構造でありながら、インキ吐出を良好に維持すると共に、ペン先の耐久性に十分対応した筆記具を提供する。
【図面の簡単な説明】
【図１】一例を示す要部縦断面図。
【図２】要部拡大縦断面図。
【符号の説明】
１　軸筒
２　把持筒
２ａ　小径部
２ｂ　大径部
２ｃ　先端
３　ペン先
４　ペン先ホルダー
４ａ　外側端部
４ｂ　内筒部
４ｃ　内方突起
５　グリップ部材
６　尾栓
６ａ　空気孔
７　キャップ
８　ペン先密封部材
９　インキ
１０　逆流防止剤組成物
１１　浮体
１２　インキタンク
【図１】
2004082570.tif 000004
【図２】
2004082570.tif 000005